(57)【要約】【課題】放送番組等のコンテンツを記録する際に、録画レートをその都度設定する必要がなくユーザの好みに応じて画質を設定できるようにする。【解決手段】情報記録装置１００は、予め定めたコンテンツのジャンル別に録画時のビットレートを格納するジャンル別録画レート格納部１０５を有している。例えば、デジタル放送チューナ部１０３で受信した番組コンテンツを、録画部１０６で記録媒体に録画する際、番組コンテンツのジャンルに従ってジャンル別録画レート格納部１０５に格納されたビットレートを抽出し、抽出したビットレートにてコンテンツの録画を実行する。【選択図】図１
2006127604.tif 000002
【特許請求の範囲】
【請求項１】
録画対象の情報であるコンテンツを入力する入力手段と、該入力手段に入力されたコンテンツを記録媒体に記録する記録手段とを備えた情報記録装置において、該情報記録装置は、予め定めたコンテンツのジャンル別にビットレートを格納するジャンル別ビットレート格納部を有し、前記記録手段にコンテンツを記録する際に、コンテンツのジャンルに従って前記ジャンル別ビットレート格納部に格納されたビットレートを使用して該コンテンツの記録を行うことを特徴とする情報記録装置。
【請求項２】
請求項１に記載の情報記録装置において、該情報記録装置は、放送波を受信するチューナ部を有し、該チューナ部で受信したコンテンツを前記記録手段に記録可能に構成されていることを特徴とする情報記録装置。
【請求項３】
請求項１または２に記載の情報記録装置において、該情報記録装置は、放送されるコンテンツに付随する番組情報に含まれるジャンル情報を抽出するジャンル情報抽出部を有し、該ジャンル情報抽出部で抽出された対象コンテンツのジャンル情報に従って、前記ジャンル別ビットレート格納部に格納された該対象コンテンツのビットレートとを抽出し、該抽出したビットレートを使用して該コンテンツの記録を行うことを特徴とする情報記録装置。
【請求項４】
請求項１ないし３のいずれか１に記載の情報記録装置において、該情報記録装置は、前記ジャンル別ビットレート格納部に格納するビットレートを設定するためのビットレート設定手段を有することを特徴とする情報記録装置。
【請求項５】
請求項４に記載の情報記録装置において、該情報記録装置は、所定の外部機器と通信が可能な通信インタフェースを有し、前記ビットレート設定手段は、前記通信インタフェースを介して所定の外部機器から入力したビットレートを、前記ジャンル別ビットレート格納部に格納することにより、外部機器からのビットレートの設定を可能としたことを特徴とする情報記録装置。
【請求項６】
請求項４または５に記載の情報記録装置において、該情報記録装置は、放送網を利用することにより、前記ビットレート設定手段は、放送網から該情報記録装置に対してジャンル別ビットレートを、前記ジャンル別ビットレート格納部に格納することにより、ビットレートの設定を可能としたことを特徴とする情報記録装置。
【請求項７】
請求項１ないし６のいずれか１に記載の情報記録装置において、該情報記録装置は、コンテンツに付随するビットレートと、前記ジャンル別ビットレート格納部に格納されたビットレートとのうち、実際のコンテンツの記録に使用するビットレートの優先順位を指定するビットレート優先順位指定手段を有し、前記記録手段にコンテンツを記録する際、前記ビットレート優先順位指定手段に指定されたビットレートの優先順位に従って、該記録に使用するビットレートを決定することを特徴とする情報記録装置。
【請求項８】
請求項１ないし７のいずれか１に記載の情報記録装置において、該情報記録装置は、前記記録手段にコンテンツを記録しているときに、該入力するコンテンツが変更され、かつジャンルが変更された際には、該変更されたジャンルに従うビットレートを前記ジャンル別ビットレート格納部から抽出して、コンテンツの記録に使用するビットレートを変更することを特徴とする情報記録装置。
【請求項９】
請求項５ないし８のいずれか１に記載の情報記録装置において、該情報記録装置は、前記記録手段に記録されたコンテンツが再生され、再生が終了した際に、該コンテンツのジャンルの記録ビットレートが適正かどうかを確認させるメッセージを出力するビットレートの確認メッセージ出力手段を有し、前記ビットレート設定手段は、前記確認メッセージに応じたビットレートの変更入力を受け付けて、該変更入力に従って前記ジャンル別ビットレート格納部に格納するビットレートの変更設定を行うことを特徴とする情報記録装置。
【請求項１０】
請求項５ないし８のいずれか１に記載の情報記録装置において、該情報記録装置は、前記記録手段に記録されたコンテンツの保護／ダビングの累積回数を、該コンテンツのジャンル毎に保持する保護／ダビング累積回数保持手段を有し、前記記録手段に記録されたコンテンツの保護またはダビングが実行された際に、前記保護／ダビング累積回数保持手段の累積回数情報を一つカウントアップし、該累積回数情報が予め定めた回数に達したときに、該コンテンツのジャンルの記録ビットレートが適正かどうかを確認させるメッセージを出力するビットレートの確認メッセージ出力手段を有し、前記ビットレート設定手段は、前記確認メッセージに応じたビットレートの変更入力を受け付けて、該変更入力に従って前記ジャンル別ビットレート格納部に格納するビットレートの変更設定を行うことを特徴とする情報記録装置。
【請求項１１】
請求項１０に記載の情報記録装置において、該情報記録装置は、前記保護されたコンテンツの保護の解除、または前記ダビングの予約解除が実行されたときに、前記保護／ダビング累積回数保持手段に保持されている前記累積回数情報を、一つカウントダウンすることを特徴とする情報記録装置。
【請求項１２】
請求項１ないし１１のいずれか１に記載の情報記録装置において、前記記録手段は、複数種類の記録媒体が使用可能で、該複数種類の記録媒体に対して選択的にコンテンツの記録が可能に構成され、前記ジャンル別ビットレート格納手段は、前記複数の記録媒体毎に、コンテンツのジャンル別のビットレートを格納し、前記記録手段にコンテンツを記録する際に、使用する記録媒体およびコンテンツのジャンルに従って前記ジャンル別ビットレート格納部に格納されたビットレートを使用して該コンテンツの記録を行うことを特徴とする情報記録装置。
【請求項１３】
請求項３ないし１２のいずれか１に記載の情報記録装置において、該情報記録装置は、前記ジャンル情報抽出部によってコンテンツに付随する番組情報に含まれるジャンル情報を抽出する際、前記コンテンツの番組情報からジャンル情報が抽出できなかった場合、該コンテンツのジャンルの指定を受け付けるジャンル指定手段を有し、該ジャンル指定手段が受け付けたジャンルに従って、前記ジャンル別ビットレート格納部に格納されたビットレートを抽出し、該抽出したビットレートを使用して該コンテンツの記録を行うことを特徴とする情報記録装置。
【請求項１４】
録画対象の情報であるコンテンツを入力する入力手段と、該入力手段に入力されたコンテンツを記録媒体に記録する記録手段とを備えた情報記録装置に対してコンテンツを記録する情報記録方法において、予め定めたコンテンツのジャンル別にビットレートを所定の格納手段に格納するジャンル別ビットレート格納ステップと、コンテンツのジャンルに従って前記ジャンル別ビットレート格納ステップで格納されたビットレートを使用して、該コンテンツの記録を行うコンテンツ記録ステップと、を有することを特徴とする情報記録方法。
【請求項１５】
請求項１４に記載の情報記録方法において、放送されるコンテンツに付随する番組情報に含まれるジャンル情報を抽出するジャンル情報抽出ステップを有し、前記コンテンツ記録ステップは、前記ジャンル情報抽出ステップで抽出された対象コンテンツのジャンル情報に従って、前記ジャンル別ビットレート格納ステップで格納された該対象コンテンツのジャンル情報を抽出し、該抽出したビットレートを使用して該コンテンツの記録を行うことを特徴とする情報記録方法。
【請求項１６】
請求項１４または１５に記載の情報記録方法において、前記ジャンル別ビットレート格納ステップで格納するビットレートを設定するビットレート設定ステップを有することを特徴とする情報記録方法。
【請求項１７】
請求項１６に記載の情報記録方法において、前記ビットレート設定ステップは、通信インタフェースを介して所定の外部機器から入力したビットレートを、前記ジャンル別ビットレート格納ステップで格納するビットレートとして設定することを特徴とする情報記録方法。
【請求項１８】
請求項１６または１７に記載の情報記録方法において、前記ビットレート設定ステップは、放送網を介して入力したビットレートを、前記ジャンル別ビットレート格納ステップで格納するビットレートとして設定することを特徴とする情報記録方法。
【請求項１９】
請求項１５ないし１８のいずれか１に記載の情報記録方法において、コンテンツに付随するビットレートと、前記ジャンル別ビットレート格納ステップで格納されたビットレートとのうち、実際のコンテンツの記録に使用するビットレートの優先順位を指定するビットレート優先順位指定ステップを有し、前記コンテンツ記録ステップは、前記記録手段にコンテンツを記録する際、前記ビットレート優先順位指定ステップで指定されたビットレートの優先順位に従って、該記録に使用するビットレートを決定することを特徴とする情報記録方法。
【請求項２０】
請求項１４ないし１９のいずれか１に記載の情報記録方法において、前記コンテンツ記録ステップは、コンテンツを記録しているときに、該記録するコンテンツが変更され、かつジャンルが変更された際には、前記ジャンル別ビットレート格納ステップで格納されたビットレートから、該変更されたジャンルに従うビットレートを抽出して、コンテンツの記録に使用するビットレートを変更することを特徴とする情報記録方法。
【請求項２１】
請求項１６ないし２０のいずれか１に記載の情報記録方法において、前記記録手段に記録されたコンテンツが再生され、再生が終了した際に、該コンテンツのジャンルの記録ビットレートが適正かどうかを確認させるメッセージを出力するビットレートの確認メッセージ出力ステップを有し、前記ビットレート設定ステップは、前記確認メッセージに応じたビットレートの変更入力を受け付けて、該変更入力に従って前記ジャンル別ビットレート格納ステップで格納するビットレートの変更設定を行うことを特徴とする情報記録方法。
【請求項２２】
請求項１６ないし２０のいずれか１に記載の情報記録方法において、前記記録手段に記録されたコンテンツの保護／ダビングの累積回数を、該コンテンツのジャンル毎に保持し、前記記録手段に記録されたコンテンツの保護またはダビングが実行された際に、保護／ダビング累積回数を一つカウントアップする保護／ダビング累積回数保持ステップと、該保護／ダビング累積回数が予め定めた回数に達したときに、該コンテンツのジャンルの記録ビットレートが適正かどうかを確認させるメッセージを出力するビットレートの確認メッセージ出力ステップとを有し、前記ビットレート設定ステップは、前記確認メッセージに応じたビットレートの変更入力を受け付けて、該変更入力に従って前記ジャンル別ビットレート格納ステップで格納するビットレートの変更設定を行うことを特徴とする情報記録方法。
【請求項２３】
請求項２２に記載の情報記録方法において、前記保護／ダビング累積回数保持ステップは、前記保護されたコンテンツの保護の解除、または前記ダビングの予約解除が実行されたときに、保持されている前記累積回数情報を、一つカウントダウンすることを特徴とする情報記録方法。
【請求項２４】
請求項１４ないし２３のいずれか１に記載の情報記録方法において、前記記録手段が、複数種類の記録媒体が使用可能で、該複数種類の記録媒体に対して選択的にコンテンツの記録が可能に構成されている場合、前記ジャンル別ビットレート格納ステップは、前記複数の記録媒体毎に、コンテンツのジャンル別のビットレートを格納し、前記コンテンツ記録ステップは、前記記録手段にコンテンツを記録する際に、使用する記録媒体およびコンテンツのジャンルに従って前記ジャンル別ビットレート格納ステップで格納されたビットレートを使用して該コンテンツの記録を行うことを特徴とする情報記録方法。
【請求項２５】
請求項１５ないし２４のいずれか１に記載の情報記録方法において、前記ジャンル情報抽出ステップがコンテンツに付随する番組情報に含まれるジャンル情報を抽出する際、前記コンテンツの番組情報からジャンル情報が抽出できなかった場合、該コンテンツのジャンルの指定を受け付けるジャンル指定ステップを有し、前記コンテンツ記録ステップは、前記ジャンル指定ステップで受け付けたジャンルに従って、前記ジャンル別ビットレート格納ステップで格納されたビットレートを抽出し、該抽出したビットレートを使用して該コンテンツの記録を行うことを特徴とする情報記録方法。
【発明の詳細な説明】
【技術分野】
【０００１】
本発明は、情報記録装置および情報記録方法に関し、より詳細には、記録対象のコンテンツのジャンルに応じて画質や記録容量を設定できるようにした情報記録装置および情報記録方法に関する。
【背景技術】
【０００２】
記録媒体に対して映像等の情報を記録することができる記録装置が広く用いられている。このような記録装置では、デジタル放送等の放送番組（コンテンツ）が受信可能で、受信したコンテンツを例えば、ＨＤＤやＤＶＤ、あるいはＢＤ等の複数の記録媒体に対して選択的に録画できる記録装置も普及している。
【０００３】
このような記録装置において、受信したコンテンツを記録媒体に録画する際に、それぞれのコンテンツの画質を調節したり、録画容量の調節を行うために、従来は録画レートをその都度設定する必要があった。
【０００４】
上記のような記録装置における録画の設定に関し、例えば、特許文献１には、ＥＰＧ（電子番組表）等から録画しようとする番組の放送時間長に関する情報を予め取得しておき、その放送時間長の情報と、記録媒体の記録残容量とを用いて、録画モードを自動設定するデジタル録画装置およびデジタル録画方法が開示されている。この録画装置は、記録媒体の記録残容量に着目し、録画したい番組を残記録容量内に全部記録することができるように、録画モードを自動設定するものである。
【特許文献１】特開平８−６５６１６号公報
【発明の開示】
【発明が解決しようとする課題】
【０００５】
しかしながら、ユーザの好みにより、録画する番組のジャンルに応じて画質を自由に選びたいような場合がある。例えば、ユーザが画質にこだわりたいジャンルのコンテンツの場合は高ビットレートで録画するように設定したり、また、特に画質にはこだわらなくてもいいが、録画容量をなるべく小さくしたい場合には低ビットレートに設定したりする場合がある。
【０００６】
このような場合、上記のような録画レートをその都度設定する録画装置では、例えば、映画やドラマ番組などは高画質の録画モードに設定し、ニュース番組などの一時的な録画に対しては、記憶容量の節約の観点から低画質の録画モードに設定するという作業を、ユーザ自身が番組毎にその都度行う必要があり、極めて面倒な作業を伴うという課題があった。
【０００７】
また、画質もある程度はきれいにし、しかも録画容量はなるべく小さくしたいなどの理由がある場合、高画質と低録画容量との両方を兼ね備えた録画レートを見つけるのは容易ではない。例えば、録画した後で、録画容量は少なくて済んだが画質が悪すぎる、または画質は必要以上にきれいだが録画容量が大きすぎた、などということが起こりかねない。
【０００８】
このように録画ごとに録画レートの設定を行うのは非常に面倒であり、なによりも全てのユーザが録画レートについて詳しいわけではないので、どの録画レートにしたらよいのかわからないという問題点があった。
【０００９】
また上記特許文献１の技術は、録画したい番組を残記録容量内に全部記録することができるように録画モードを自動設定するもので、録画番組の画質よりも、番組を全部記録することを優先している。従って、上記のようなコンテンツのジャンルに応じて画質や録画容量を設定したい、というようなニーズに応えるものではなく、録画レートの設定が煩雑であるという課題を解決できるものではない。
【００１０】
本発明は、上述のごとき実情に鑑みてなされたもので、放送番組等のコンテンツを記録（録画）する際に、録画レートをその都度設定する必要がなく、ユーザの好みに応じて画質を設定できるようにした情報記録装置および情報記録方法を提供することを目的とするものである。
【課題を解決するための手段】
【００１１】
上記課題を解決するために、第１の技術手段は、録画対象の情報であるコンテンツを入力する入力手段と、入力手段に入力されたコンテンツを記録媒体に記録する記録手段とを備えた情報記録装置において、情報記録装置は、予め定めたコンテンツのジャンル別にビットレートを格納するジャンル別ビットレート格納部を有し、記録手段にコンテンツを記録する際に、コンテンツのジャンルに従ってジャンル別ビットレート格納部に格納されたビットレートを使用してコンテンツの記録を行うことを特徴としたものである。
【００１２】
第２の技術手段は、第１の技術手段において、情報記録装置は、放送波を受信するチューナ部を有し、チューナ部で受信したコンテンツを記録手段に記録可能に構成されていることを特徴としたものである。
【００１３】
第３の技術手段は、第１または第２の技術手段において、情報記録装置は、放送されるコンテンツに付随する番組情報に含まれるジャンル情報を抽出するジャンル情報抽出部を有し、ジャンル情報抽出部で抽出された対象コンテンツのジャンル情報に従って、ジャンル別ビットレート格納部に格納された対象コンテンツのビットレートとを抽出し、抽出したビットレートを使用してコンテンツの記録を行うことを特徴としたものである。
【００１４】
第４の技術手段は、第１ないし第３のいずれか１の技術手段において、情報記録装置は、ジャンル別ビットレート格納部に格納するビットレートを設定するためのビットレート設定手段を有することを特徴としたものである。
【００１５】
第５の技術手段は、第４の技術手段において、情報記録装置は、所定の外部機器と通信が可能な通信インタフェースを有し、ビットレート設定手段は、通信インタフェースを介して所定の外部機器から入力したビットレートを、ジャンル別ビットレート格納部に格納することにより、外部機器からのビットレートの設定を可能としたことを特徴としたものである。
【００１６】
第６の技術手段は、第４または第５の技術手段において、情報記録装置は、放送網を利用することにより、ビットレート設定手段は、放送網から情報記録装置に対してジャンル別ビットレートを、ジャンル別ビットレート格納部に格納することにより、ビットレートの設定を可能としたことを特徴としたものである。
【００１７】
第７の技術手段は、第１ないし第６のいずれか１の技術手段において、情報記録装置は、コンテンツに付随するビットレートと、ジャンル別ビットレート格納部に格納されたビットレートとのうち、実際のコンテンツの記録に使用するビットレートの優先順位を指定するビットレート優先順位指定手段を有し、記録手段にコンテンツを記録する際、ビットレート優先順位指定手段に指定されたビットレートの優先順位に従って、記録に使用するビットレートを決定することを特徴としたものである。
【００１８】
第８の技術手段は、第１ないし第７のいずれか１の技術手段において、情報記録装置は、記録手段にコンテンツを記録しているときに、入力するコンテンツが変更され、かつジャンルが変更された際には、変更されたジャンルに従うビットレートをジャンル別ビットレート格納部から抽出して、コンテンツの記録に使用するビットレートを変更することを特徴としたものである。
【００１９】
第９の技術手段は、第５ないし第８のいずれか１の技術手段において、情報記録装置は、記録手段に記録されたコンテンツが再生され、再生が終了した際に、コンテンツのジャンルの記録ビットレートが適正かどうかを確認させるメッセージを出力するビットレートの確認メッセージ出力手段を有し、ビットレート設定手段は、確認メッセージに応じたビットレートの変更入力を受け付けて、変更入力に従ってジャンル別ビットレート格納部に格納するビットレートの変更設定を行うことを特徴としたものである。
【００２０】
第１０の技術手段は、第５ないし第８のいずれか１の技術手段において、情報記録装置は、記録手段に記録されたコンテンツの保護／ダビングの累積回数を、コンテンツのジャンル毎に保持する保護／ダビング累積回数保持手段を有し、記録手段に記録されたコンテンツの保護またはダビングが実行された際に、保護／ダビング累積回数保持手段の累積回数情報を一つカウントアップし、累積回数情報が予め定めた回数に達したときに、コンテンツのジャンルの記録ビットレートが適正かどうかを確認させるメッセージを出力するビットレートの確認メッセージ出力手段を有し、ビットレート設定手段は、確認メッセージに応じたビットレートの変更入力を受け付けて、変更入力に従ってジャンル別ビットレート格納部に格納するビットレートの変更設定を行うことを特徴としたものである。
【００２１】
第１１の技術手段は、第１０の技術手段において、情報記録装置は、保護されたコンテンツの保護の解除、またはダビングの予約解除が実行されたときに、保護／ダビング累積回数保持手段に保持されている累積回数情報を、一つカウントダウンすることを特徴としたものである。
【００２２】
第１２の技術手段は、第１ないし第１１のいずれか１の技術手段において、記録手段は、複数種類の記録媒体が使用可能で、複数種類の記録媒体に対して選択的にコンテンツの記録が可能に構成され、ジャンル別ビットレート格納手段は、複数の記録媒体毎に、コンテンツのジャンル別のビットレートを格納し、記録手段にコンテンツを記録する際に、使用する記録媒体およびコンテンツのジャンルに従ってジャンル別ビットレート格納部に格納されたビットレートを使用してコンテンツの記録を行うことを特徴としたものである。
【００２３】
第１３の技術手段は、第３ないし第１２のいずれか１の技術手段において、情報記録装置は、ジャンル情報抽出部によってコンテンツに付随する番組情報に含まれるジャンル情報を抽出する際、コンテンツの番組情報からジャンル情報が抽出できなかった場合、コンテンツのジャンルの指定を受け付けるジャンル指定手段を有し、ジャンル指定手段が受け付けたジャンルに従って、ジャンル別ビットレート格納部に格納されたビットレートを抽出し、抽出したビットレートを使用してコンテンツの記録を行うことを特徴としたものである。
【００２４】
第１４の技術手段は、録画対象の情報であるコンテンツを入力する入力手段と、入力手段に入力されたコンテンツを記録媒体に記録する記録手段とを備えた情報記録装置に対してコンテンツを記録する情報記録方法において、予め定めたコンテンツのジャンル別にビットレートを所定の格納手段に格納するジャンル別ビットレート格納ステップと、コンテンツのジャンルに従ってジャンル別ビットレート格納ステップで格納されたビットレートを使用して、コンテンツの記録を行うコンテンツ記録ステップと、を有することを特徴としたものである。
【００２５】
第１５の技術手段は、第１４の技術手段において、放送されるコンテンツに付随する番組情報に含まれるジャンル情報を抽出するジャンル情報抽出ステップを有し、コンテンツ記録ステップは、ジャンル情報抽出ステップで抽出された対象コンテンツのジャンル情報に従って、ジャンル別ビットレート格納ステップで格納された対象コンテンツのジャンル情報を抽出し、抽出したビットレートを使用してコンテンツの記録を行うことを特徴としたものである。
【００２６】
第１６の技術手段は、第１４または第１５の技術手段において、ジャンル別ビットレート格納ステップで格納するビットレートを設定するビットレート設定ステップを有することを特徴としたものである。
【００２７】
第１７の技術手段は、第１６の技術手段において、ビットレート設定ステップは、通信インタフェースを介して所定の外部機器から入力したビットレートを、ジャンル別ビットレート格納ステップで格納するビットレートとして設定することを特徴としたものである。
【００２８】
第１８の技術手段は、第１６または第１７の技術手段において、ビットレート設定ステップは、放送網を介して入力したビットレートを、ジャンル別ビットレート格納ステップで格納するビットレートとして設定することを特徴としたものである。
【００２９】
第１９の技術手段は、第１５ないし第１８のいずれか１の技術手段において、コンテンツに付随するビットレートと、ジャンル別ビットレート格納ステップで格納されたビットレートとのうち、実際のコンテンツの記録に使用するビットレートの優先順位を指定するビットレート優先順位指定ステップを有し、コンテンツ記録ステップは、記録手段にコンテンツを記録する際、ビットレート優先順位指定ステップで指定されたビットレートの優先順位に従って、記録に使用するビットレートを決定することを特徴としたものである。
【００３０】
第２０の技術手段は、第１４ないし第１９のいずれか１の技術手段において、コンテンツ記録ステップは、コンテンツを記録しているときに、記録するコンテンツが変更され、かつジャンルが変更された際には、ジャンル別ビットレート格納ステップで格納されたビットレートから、変更されたジャンルに従うビットレートを抽出して、コンテンツの記録に使用するビットレートを変更することを特徴としたものである。
【００３１】
第２１の技術手段は、第１６ないし第２０のいずれか１の技術手段において、記録手段に記録されたコンテンツが再生され、再生が終了した際に、コンテンツのジャンルの記録ビットレートが適正かどうかを確認させるメッセージを出力するビットレートの確認メッセージ出力ステップを有し、ビットレート設定ステップは、確認メッセージに応じたビットレートの変更入力を受け付けて、変更入力に従ってジャンル別ビットレート格納ステップで格納するビットレートの変更設定を行うことを特徴としたものである。
【００３２】
第２２の技術手段は、第１６ないし第２０のいずれか１の技術手段において、記録手段に記録されたコンテンツの保護／ダビングの累積回数を、コンテンツのジャンル毎に保持し、記録手段に記録されたコンテンツの保護またはダビングが実行された際に、保護／ダビング累積回数を一つカウントアップする保護／ダビング累積回数保持ステップと、保護／ダビング累積回数が予め定めた回数に達したときに、コンテンツのジャンルの記録ビットレートが適正かどうかを確認させるメッセージを出力するビットレートの確認メッセージ出力ステップとを有し、ビットレート設定ステップは、確認メッセージに応じたビットレートの変更入力を受け付けて、変更入力に従ってジャンル別ビットレート格納ステップで格納するビットレートの変更設定を行うことを特徴としたものである。
【００３３】
第２３の技術手段は、第２２の技術手段において、保護／ダビング累積回数保持ステップは、保護されたコンテンツの保護の解除、またはダビングの予約解除が実行されたときに、保持されている累積回数情報を、一つカウントダウンすることを特徴としたものである。
【００３４】
第２４の技術手段は、第１４ないし第２３のいずれか１の技術手段において、記録手段が、複数種類の記録媒体が使用可能で、複数種類の記録媒体に対して選択的にコンテンツの記録が可能に構成されている場合、ジャンル別ビットレート格納ステップは、複数の記録媒体毎に、コンテンツのジャンル別のビットレートを格納し、コンテンツ記録ステップは、記録手段にコンテンツを記録する際に、使用する記録媒体およびコンテンツのジャンルに従ってジャンル別ビットレート格納ステップで格納されたビットレートを使用してコンテンツの記録を行うことを特徴としたものである。
【００３５】
第２５の技術手段は、第１５ないし第２４のいずれか１の技術手段において、ジャンル情報抽出ステップがコンテンツに付随する番組情報に含まれるジャンル情報を抽出する際、コンテンツの番組情報からジャンル情報が抽出できなかった場合、コンテンツのジャンルの指定を受け付けるジャンル指定ステップを有し、コンテンツ記録ステップは、ジャンル指定ステップで受け付けたジャンルに従って、ジャンル別ビットレート格納ステップで格納されたビットレートを抽出し、抽出したビットレートを使用してコンテンツの記録を行うことを特徴としたものである。
【発明の効果】
【００３６】
本発明によれば、放送番組等のコンテンツを記録（録画）する際に、録画レート（ビットレート）をその都度設定する必要がなく、ユーザの好みに応じて画質を設定できるようにした情報記録装置および情報記録方法を提供することができる。
すなわち、本発明によれば、録画対象のコンテンツのジャンル別にデフォルトでビットレートを保持しておくことにより、実際にコンテンツを録画する際に、ユーザが録画レートをその都度選択する必要なく、デフォルトで設定されたビットレートでコンテンツを録画することができる。
また本発明では、放送されるコンテンツに付随する番組情報からジャンル情報を自動抽出して、そのジャンル情報に従って予め設定されたジャンル毎のビットレートを抽出し、そのビットレートで録画を行うことにより、ユーザは、コンテンツの推奨ビットレートを用いて簡便にコンテンツの録画を行うことができる。
【００３７】
また、本発明によれば、放送波を受信するチューナ部を備えた情報記録装置とすることで、録画装置を備えた放送受信装置として本発明を構成することができる。
また、本発明によれば、デフォルトビットレートを適宜設定可能とすることにより、画質・記録容量の面から効率がよい、あるいはユーザの好みに応じたビットレートを設定することができる。またこのときに、通信Ｉ／Ｆを用いて衛星やインターネットからデフォルトビットレートを設定可能とすることにより、専門的で複雑なビットレートの設定をユーザが行う必要がなく、また放送局や情報記録装置のメーカではジャンルごとに適切なビットレートをユーザに提案することができる。
【００３８】
また、本発明によれば、コンテンツに付随するビットレートと、デフォルトで予め情報記録装置に設定したビットレートの使用優先順位を定めておくことにより、コンテンツの録画に使用するビットレートの選択に混乱が生じることがなく、また、コンテンツの録画におけるビットレートの選択手順を柔軟に設定することができ、ユーザの利便性を高めることができる。
【００３９】
また、本発明によれば、録画中のコンテンツが変更され、それに伴ってジャンルが変更された際にも、その変更したジャンルに応じて録画のビットレートを変更することにより、ユーザが録画ビットレートを意識することなく録画中のジャンル変更に対応することができ、ジャンル毎のビットレートの設定を確実に行うことができる。
【００４０】
さらに本発明によれば、コンテンツを再生した後(視聴後)、ジャンルごとのデフォルトビットレートが適正かどうかをユーザに確認させてその変更を可能とすることにより、よりユーザの意図に応じたデフォルトビットレートを常に設定しておくことができる。
【００４１】
さらに本発明によれば、ジャンル毎の保護やダビングの回数が所定回数に達したときに、そのジャンルのデフォルトビットレートが適正かどうかを訪ねてその変更を可能とすることにより、例えば、録画頻度の高いジャンルのコンテンツについては、デフォルトビットレートを高くして高品位の画質で録画するような操作を容易に行うことができ、あるいは、大量に保存しておきたいが画質にはこだわらないジャンルのコンテンツについては、デフォルトビットレートを低くし、なるべく多くのコンテンツを記録できるように操作することもできる。
【００４２】
さらに本発明によれば、複数の記録媒体に録画可能な情報記録装置において、記録媒体毎に、ジャンル別にデフォルトビットレートを設定しておくことにより、例えば、ＨＤＤ、ＤＶＤ、ＢＤ等の複数の記録媒体にコンテンツの録画が可能な複合型の情報記録装置であっても、その記録媒体毎にデフォルトビットレートを定めておくことができ、記録媒体の容量や特性に応じた画質設定を自在に行うことができるようになる。
【００４３】
さらに本発明によれば、コンテンツに付随する番組情報からジャンル情報が抽出できなかった場合、コンテンツのジャンルの指定を可能とすることにより、ジャンル情報を含まないようなコンテンツの場合でも、ユーザがジャンルを指定することで、ジャンル情報を含んでいるコンテンツと同様に取扱うことができる。
【発明を実施するための最良の形態】
【００４４】
本発明に関わる情報記録装置は、一つの種類の記録媒体に対して記録が可能な構成のみならず、ＨＤＤ、ＤＶＤ、もしくはＢＤなどのような複数の記録媒体への記録手段が備えられた記録装置に適用することができる。そして予めジャンル別にデフォルトビットレート（録画レート）を決めておく。そして実際に放送番組等のコンテンツを録画するときに、コンテンツに付随する番組情報に含まれるジャンル情報と対応したデフォルトビットレートで録画する。これは、ダビング、予約録画等でも同様である。このような構成により、コンテンツを録画するときに、毎回ビットレートを設定する手間を省くことができる。
ここでは、例えば、それほど画質が良くなくてもいいと思われるジャンル（例えばニュースなどの画質にこだわらなくてもよいと思われるジャンル）については、低いビットレートが設定されているので、記録媒体の容量を節約することができる。
【００４５】
以下、本発明に係る情報記録装置の実施形態を添付された図面を参照しながら具体的に説明する。
以下に説明する実施形態は、地上波デジタルまたはデジタルＢＳまたは１１０度ＣＳ放送または、これらの複数の放送を受信できる受信装置として構成され、受信した番組コンテンツを記録媒体に記録できるように構成されたものである。また、以下に説明するコンテンツの“録画”については、コンテンツの録画予約、ダビングやムーブ、およびこれらの予約等、コンテンツを何らかの記録媒体に録画する動作を行う処理をすべて含むものとする。
なお、実施形態を説明するため全図において、同様の機能を有する部分には同じ符号を付け、その繰り返しの説明は省略する。
【００４６】
図１は、本発明の情報記録装置の一実施形態であるデジタル放送受信装置の構成を示すブロック図である。受信装置１００はデジタル放送チューナ部１０３を備え、放送局から送信された電波は、受信アンテナ１０１を通ってデジタル放送チューナ部１０３で受信される。また、リモコン装置１０２から入力される操作信号がリモコン受信部１０４で受信される。デジタル放送チューナ部１０３で受信された信号は、映像／音声／データ分離部１０７で分離され、音声／映像信号は音声／映像デコーダ部１１１でデコードされる。音声／映像デコーダ部１１１でデコードされたビデオ信号は、ビデオ ／ＯＳＤ信号合成部１１２を通って映像出力部（表示装置)１１５に出力され、また、デコードされた音声信号は、データ放送の音声データと信号を合成する音声信号合成部１１４を通って、音声出力部（スピーカ）１１６に出力される。
【００４７】
ジャンル別録画レート格納部１０５には、予めジャンル別に定めた録画レート情報（デフォルトビットレート）が格納されている。
図２は、ジャンル別録画レート格納部１０５に格納されている録画レート情報の設定例を説明するための図である。
ここでは、相対的に最も高画質でデータ量が多い録画レートをＸＰモードとし、これに対して低画質でデータ量が少ないモードとしてＳＰモードが設定され、相対的に最も低画質かつデータ量が少ないモードとしてＥＰモードが設定されている。例えば、図２の例では、ジャンルとしてニュース、ドラマ、バラエティ、映画、スポーツ等が設定され、これら各ジャンルに対して予め上記の録画レートをデフォルトビットレートとして定めておく。
【００４８】
デジタル放送チューナ部１０３で受信したコンテンツを録画するときには、映像／音声／データ分離部１０７によって、そのコンテンツのジャンル情報を取り出しておく。
例えば、デジタル放送コンテンツに付随した番組情報には、その番組のジャンル情報が含まれている。映像／音声／データ分離部１０７では、その番組情報に含まれるジャンル情報を放送番組から抽出する。
【００４９】
そして、上記のジャンル別録画レート格納部１０５から、上記コンテンツのジャンル情報に応じたデフォルトビットレートを取り出す。そして、録画部１０６は、この取り出したデフォルトビットレートに従う録画レートにてコンテンツの録画を行う。
【００５０】
なお、本発明の記録手段は、図１の実施形態では録画部１０６が該当し、本発明のジャンル別ビットレート格納部は、図１のジャンル別録画レート格納部１０５が該当する。さらに、本発明のジャンル情報抽出部は、放送番組コンテンツからジャンル情報を取り出す図１の映像／音声／データ分離部１０７が該当し、本発明の入力手段は、図１の場合はデジタル放送チューナ部１０３が該当する。入力手段としては、アンテナ１０１を介した放送波の受信による入力のみならず、無線または有線で接続された外部機器、あるいはネットワークを介した外部機器からコンテンツを入力するように構成してもよい。
【００５１】
図３は、本発明の情報記録装置の他の実施形態を説明するための図である。図３の構成は、図１の情報記録装置の構成に加えて、ジャンル別録画レート格納部１０５に格納するデフォルトビットレートを設定するための録画レート設定部１０８と、例えばインターネット等のネットワークとの通信Ｉ／Ｆ部１０９とを有している。
録画レート設定部１０８により、ジャンル別録画レート格納部１０５に格納するデフォルトビットレートを適宜設定することができる。
【００５２】
そしてここでは、通信Ｉ／Ｆ部１０９を介して外部機器から入力したビットレートを、ジャンル別録画レート格納部１０５に格納することにより、外部機器からのビットレートの設定を可能としている。通信Ｉ／Ｆ部１０９は、上記のようにインターネットとの接続Ｉ／Ｆであってもよく、また例えば衛星通信によってデフォルトビットレートのダウンロード入力を可能に構成してもよい。
また、録画レート設定部１０８への設定入力は、上記のような通信Ｉ／Ｆ部１０９を用いることなく、情報記録装置の操作ボタンや操作パネル、あるいはリモコン装置１０２から実行することができる。すなわち、図３のような通信Ｉ／Ｆ部１０９を備えずに構成することもできる。
また、ジャンル別録画レート格納部１０５に格納すべきビットレートを放送波を利用してビットレートを設定してもよい。例えば、衛生放送ダウンロードやデータ放送を利用することによりデフォルトビットレートの設定できるような構成にしてもよい。
【００５３】
図４は、本発明の情報処理装置の更に他の実施形態を説明するための図である。図４の構成は、図１の情報記録装置の構成に加えて、ジャンル別録画レート格納部１０５に格納するデフォルトビットレートを設定するための録画レート設定部１０８と、コンテンツの記録に使用する録画レート（ビットレート）の優先順位を定めておく録画レート優先順位指定部１１０を有している。
【００５４】
例えば、放送番組のコンテンツに付随する番組情報（コンテンツ情報）に、そのコンテンツの録画レートを指定する情報が含まれている場合、ジャンル別録画レート格納部１０５に格納されたデフォルトビットレートと、上記コンテンツに付随するビットレートとのいずれを用いるかを定めておく必要がある。
録画レート優先順位指定部１１０では、コンテンツに付随するビットレート情報と、ジャンル別録画レート格納部１０５に格納されたビットレートとのうち、実際のコンテンツの記録に使用するビットレートの優先順位情報が指定され、実際にコンテンツを記録する際に、録画レート優先順位指定部１１０に指定されたビットレートの優先順位に従って、記録に使用するビットレートを決定する。
【００５５】
なお、本発明に関わるビットレート優先順位指定手段は、図４の実施形態では、録画レート優先順位指定部１１０に該当する。また、図４の実施形態では、図３に示すような通信Ｉ／Ｆ部１０９を設け、通信Ｉ／Ｆ部１０９を介して外部機器から入力したビットレートを、ジャンル別録画レート格納部１０５に格納するようにしてもよい。
【００５６】
また、本発明の情報処理装置の他の実施形態では、録画部１０６にコンテンツを録画しているときに、例えばデジタル放送チューナ部１０３で受信されるコンテンツが変更され、このときにジャンルが変更された際には、その変更されたジャンルに従うビットレートをジャンル別録画レート格納部１０５から抽出して、コンテンツの記録ビットレートを変更する。
【００５７】
図５は、本発明の情報処理装置の更に他の実施形態を説明するための図である。図５の構成は、図２の情報記録装置の構成に加えて、録画部１０６に録画されたコンテンツが再生され、再生が終了した際に、そのコンテンツのジャンルのビットレートが適正かどうかを確認させるメッセージを出力する録画レート確認メッセージ出力部１１７を有している。
録画レート確認メッセージ出力部１１７では、確認メッセージとして、例えば、「このジャンルのデフォルトビットレートは今より高ビットレートにする？」などのメッセージとして生成することができる。そしてこの確認メッセージをＯＳＤ表示部１１３やリモコン装置１０２、あるいは図示しない表示装置等に表示してもよく、また音声出力などによってユーザに報知するようにしてもよい。
【００５８】
上記の確認メッセージを確認したユーザが、そのジャンルのデフォルトビットレートを変更したい場合、所定の入力操作によって録画レート設定部１０８に録画レートの変更指示入力を行い、録画レート設定部１０８が、録画レートの変更入力を受け付けて、ジャンル別録画レート格納部１０５に格納されているデフォルトビットレートの変更設定を行う。
【００５９】
なお、本発明に関わるビットレートの確認メッセージ出力手段は、図５の実施形態では、録画レート確認メッセージ出力部１１７に該当する。また図５の実施形態において、図３に示す通信Ｉ／Ｆ部１０９、あるいは図４に示す録画レート優先順位指定部１１０を備えるようにしてもよい。
【００６０】
図６は、本発明の情報処理装置の更に他の実施形態を説明するための図である。図６の構成は、図５の情報記録装置の構成に加えて、録画部１０６に録画されたコンテンツの保護／ダビングの累積回数を、コンテンツのジャンル毎に保持する保護／ダビング累積回数保持部１１８を有している。すなわち、保護／ダビング累積回数保持部１１８は、録画部１０６に録画されたコンテンツの保護（プロテクト）またはダビングが実行された際に、自身が保持している累積回数情報を一つカウントアップする。
【００６１】
そして、録画レート確認メッセージ出力部１１７は、保護／ダビング累積回数保持部１１８に保持されている累積回数情報が、予め定めた回数に達したときに、そのコンテンツのジャンルの録画レートが適正かどうかを確認させるメッセージを出力する。
録画レート確認メッセージ出力部１１７では、確認メッセージとして、例えば、「このジャンルのデフォルトビットレートを変更するか？」などのメッセージとして生成することができる。この確認メッセージは、ＯＳＤ表示部１１３やリモコン装置１０２、あるいは図示しない表示装置等に表示してもよく、また音声出力などによってユーザに報知するようにしてもよい。
【００６２】
上記の確認メッセージを確認したユーザが、そのジャンルのデフォルトビットレートを変更したい場合、所定の入力操作によって録画レート設定部１０８に録画レートの変更指示入力を行い、録画レート設定部１０８が、録画レートの変更入力を受け付けて、ジャンル別録画レート格納部１０５に格納されているデフォルトビットレートの変更設定を行う。
ここでは、保護やダビング操作が行われるコンテンツは、ユーザにとって重要なコンテンツであることが多く、またユーザは、同じジャンルを好んで視聴、録画、保存したりする、という傾向を反映できるように、例えば、録画頻度の高いジャンルについては、デフォルトビットレートを高くして高品位の画質で録画するような操作を容易に行うことができる。あるいは、大量に保存しておきたいが画質にはこだわらないジャンルの場合には、デフォルトビットレートを低くし、なるべく多くのコンテンツを記録できるように操作することもできる。
【００６３】
また上記の情報記録装置（受信装置１００）において、一旦保護されたコンテンツの保護の解除や、ダビング予約の解除が行われたときには、保護／ダビング累積回数保持部１１８に保持されている累積回数情報を、一つカウントダウンするように構成できる。
【００６４】
なお、本発明に関わるビットレートの確認メッセージ出力手段は、図６の実施形態では、録画レート確認メッセージ出力部１１７に該当し、本発明の保護／ダビング累積回数保持手段は、図６の実施形態では、保護／ダビング累積回数保持部１１８に該当する。また図６の実施形態において、図３に示す通信Ｉ／Ｆ部１０９、あるいは図４に示す録画レート優先順位指定部１１０を備えるようにしてもよい。
【００６５】
図７は、本発明の情報処理装置の更に他の実施形態を説明するための図である。図７の情報処理装置（受信装置１００）は、録画部１０６において、ＨＤＤやＤＶＤ、あるいはＢＤ等の複数種類の記録媒体が使用可能で、これら複数種類の記録媒体に対して選択的にコンテンツの記録が可能に構成されている。そして、ジャンル別録画レート格納部１０５には、複数の記録媒体毎に、コンテンツのジャンル別の録画レートがデフォルトビットレートとして格納されている。このような構成により、録画部１０６にコンテンツを記録する際に、使用する記録媒体およびコンテンツのジャンルに従ってジャンル別録画レート格納部１０５に格納されたビットレートを使用してコンテンツの録画を行うことができる。
【００６６】
図８は、ジャンル別録画レート格納部１０５に格納されている録画レート情報の他の設定例を説明するための図である。図８の例では、ジャンル別録画レート格納部１０５には、記録媒体としてＨＤＤ，ＤＶＤ，ＢＤが設定され、その記録媒体毎に、ジャンル別の録画レートが設定される。ここでは、録画レートは、図２の例と同様に、ＸＰモード、ＳＰモード、およびＥＰモードに区別されて設定されている。
【００６７】
また本実施形態では、映像／音声／データ分離部１０７によってコンテンツに付随する番組情報に含まれるジャンル情報を抽出する際、そのコンテンツの番組情報からジャンル情報が抽出できなかった場合、コンテンツのジャンルの指定を受け付けるジャンル指定部１１９を有している。ジャンル指定部１１９は、本発明のジャンル指定手段に該当する。
すなわち、コンテンツの録画を行うときに、例えば、ユーザが受信装置１００あるいはリモコン装置１０２の録画ボタンを押してコンテンツの録画を開始しようとするとき、映像／音声／データ分離部１０７が、コンテンツに付随する番組情報からそのコンテンツのジャンル情報を取得しようと試みる。このときにコンテンツからジャンル情報が取得できなかった場合、例えば、受信装置１００はユーザによるジャンル指定を促すメッセージを出力する。メッセージは、受信装置１００のＯＳＤ表示部１１３やリモコン装置１０２、もしくは図示しない他の表示装置に表示することができ、または音声により出力することができる。
【００６８】
このメッセージに対して、ユーザは、録画しようとしているコンテンツの録画レートを指定入力する。録画レートの指定入力は、受信装置１００の操作ボタンや操作パネル、あるいはリモコン１０２から実行することができ、また図示しない通信Ｉ／Ｆ部を用いて外部機器から実行するようにしてもよい。
そして、ジャンル指定部１１９は、ユーザにより指定入力されたジャンルをジャンル別録画レート格納部１０５に通知する。受信装置１００では、ジャンル指定部１１９により指定されたビットレートを使用してコンテンツの記録を行う。
【００６９】
なお、図７に示す実施形態において、図３に示す録画レート設定部１０８および通信Ｉ／Ｆ部１０９、図４に示す録画レート優先順位指定部１１０、図５および図６に示す録画レート確認メッセージ出力部１１７、図６に示す保護／ダビング累積回数保持部１１８のいずれかまたは複数を備えるようにしてもよい。また、ジャンル別録画レート格納部１０５に対して、複数の記録媒体毎にジャンル別にデフォルトビットレートを格納する構成は、上述の各実施形態に適用することができる。
【００７０】
次に本発明の情報記録方法の実施例について説明する。
図９は、各ジャンル毎に予め定めるデフォルトビットレートの設定手順の一例を説明するためのフローチャートである。
ユーザは、受信装置１００を操作して、表示画面（ＯＳＤ表示部１１３、ないしリモコン装置１０２等）にデフォルトビットレート設定画面を開く(ステップＳ１)。そして、デフォルトビットレートを設定（新規設定や修正）するジャンルを選択する（ステップＳ２）。ここでは例えば、ジャンルとして“映画”を選択したものとして説明する。
【００７１】
そしてユーザは、選択したジャンル“映画”のデフォルトビットレートを選択する（ステップＳ３）。この選択により、ジャンル“映画”のデフォルトビットレートが設定される（ステップＳ４）。こうして、設定されたデフォルトビットレートは、上記のジャンル別録画レート格納部１０５に格納され、実際にジャンル“映画”のコンテンツを録画するときに、録画ビットレートをその都度設定することなく録画に使用するビットレートを決めることができる。
【００７２】
そして上記ステップＳ４でジャンル“映画”のデフォルトビットレートを設定した後、さらに他のジャンルのデフォルトビットレートを設定するかどうかを判断し（ステップＳ５）、設定するのであれば上記ステップＳ２に戻ってジャンルの選択を行うようにする。またステップＳ５で、他のジャンルについてはデフォルトビットレートの設定を行わない場合は、処理を終了する。
【００７３】
図１０は、ジャンル別のデフォルトビットレートの他の設定手順を説明するためのフローチャートである。ここでは、衛星通信ダウンロードやインターネットからのダウンロード、または放送波を利用した衛星放送ダウンロードやデータ放送を利用するなどの方法により、例えば、受信装置のメーカや放送事業者などがデフォルトビットレートを受信装置１００に設定する処理例を示す。
【００７４】
まず、録画デフォルトビットレート対応の受信装置かどうかを調べる（ステップＳ１１）。こここで、デフォルトビットレートに対応していない受信装置の場合は、そのまま処理を終了する。またデフォルトビットレートに対応している受信装置である場合は、ジャンル別録画レート格納部１０５に格納されているデフォルトビットレート情報を、新しいジャンル別のデフォルトビットレートに書き換えて格納する（ステップＳ１２）。デフォルトビットレートは、上述のように衛星通信ダウンロードやインターネットからのダウンロードにより、通信回線を介して外部機器より受信装置１００に設定することができる。し、受信装置のメーカーや放送事業者などが、デフォルトビットレートを受信装置１００に設定することもできる。
受信装置では、実際に録画する際にそのデフォルトビットレートを常に参照することにより、録画に使用するビットレートを決定することができる。
【００７５】
図１１は、デフォルトビットレートとコンテンツに付随するビットレートとの優先順位に従って実際に録画ビットレートを決定する処理例について説明するためのフローチャートである。
録画対象となるコンテンツに対して予めユーザにより録画ビットレートが指定されているとき、コンテンツに指定されている録画ビットレートを用いるのか、それとも受信装置に設定されているデフォルトビットレートを使用するのかについて、予め受信装置１００にその優先順位を設定しておく。
【００７６】
そしてこの状態で、ユーザが受信装置１００の録画ボタンを押してコンテンツを録画しようとしたとき（ステップＳ２１）、受信装置では、そのコンテンツに付随したコンテンツ情報を取得する（ステップＳ２２）。コンテンツ情報は、例えば、放送番組に付随した番組情報である。そして取得したコンテンツ情報の中から、そのコンテンツのジャンルを取得する（ステップＳ２３）。
【００７７】
そしてさらに、取得したコンテンツ情報において、コンテンツの録画ビットレートが指定されているかどうかを判別する（ステップＳ２４）。コンテンツの録画ビットレートが指定されている場合は、コンテンツの情報から録画ビットレートを取得する（ステップＳ２５）。コンテンツの情報に含まれる録画ビットレートは、ビットレートが直接指定されていてもよく、また録画ビットレートが一意に決まる情報であればどのような形態の情報であってもよい。
【００７８】
そして、コンテンツの情報から取得した対象のコンテンツのジャンルにおいて、コンテンツ情報に指定されている録画ビットレートを優先するかどうかを判断する（ステップＳ２６）。コンテンツ情報に指定された録画ビットレートを優先する場合は、その指定された録画ビットレートでコンテンツの録画を行い（ステップＳ２８）、そうでない場合は、受信装置に設定されている該当ジャンルのデフォルトビットレートを用いてコンテンツの録画を行う（ステップＳ２７）。
【００７９】
また上記ステップＳ２４において、コンテンツ情報においてそのコンテンツの録画ビットレートが指定されていない場合は、受信装置に設定されている該当ジャンルのデフォルトビットレートを用いてコンテンツの録画を行う。
【００８０】
図１２は、コンテンツの録画中にジャンルが変更されたときの処理例を説明するためのフローチャートである。本例では、コンテンツを録画しているときに、番組（コンテンツ）が変更され、その番組変更に伴ってジャンルが変わったときに録画ビットレートを変更する処理を説明する。
まず、受信装置がコンテンツを録画しているときに、コンテンツの変更を常時監視する（ステップＳ３１）。そして、コンテンツが変更されなければ、そのまま録画を続行し、録画終了かどうかを判別して（ステップＳ３３）、録画終了であれば処理を終了する。
【００８１】
また、上記ステップＳ３１でコンテンツの変更があった場合、そのコンテンツの変更に伴ってジャンルが変更されたかどうかを判断する（ステップＳ３２）。ここで、コンテンツのジャンルが変更されていれば、ジャンル別録画レート格納部１０５から該当ジャンルのデフォルトビットレートを取り出して、そのデフォルトビットレートに録画レートを変更してコンテンツの録画を続行する（ステップＳ３４）。その後は、再び上記ステップＳ３１でコンテンツの変更が行われていないかどうかを監視する。また、上記ステップＳ３２でジャンルが変更されていなければ、そのまま録画を続行する。そして録画終了かどうかを判別して（ステップＳ３３）、録画終了であれば処理を終了し、録画終了でなければ、ステップＳ３１でコンテンツの変更を監視する。
【００８２】
図１３は、受信装置に設定したデフォルトビットレートのコンテンツ視聴後の変更処理例について説明するためのフローチャートである。
受信装置１００に録画したコンテンツをユーザが再生して視聴し、その視聴が終了したときに（ステップＳ４１）、受信装置１００では、ユーザに「このジャンルのデフォルトビットレートはこれで充分か？」という質問を提示する。この提示は、受信装置の画面あるいは他の所定の表示装置の画面に表示してもよく、リモコンに表示してもよく、あるいは音声などを利用してもよい。
【００８３】
ユーザが、そのジャンルに関してデフォルトビットレートに満足していれば、そのまま処理を終了する。また、ユーザがデフォルトビットレートに不満足であるという対応を行ったならば、受信装置１００は、「このジャンルのデフォルトビットレートは今より高ビットレートにする？」かどうかを、ユーザに提示する（ステップＳ４３）。提示の仕方は、上記ステップＳ４１と同様に適宜設定することができる。
そして、ユーザが現在より高ビットレートを希望する場合は、高ビットレートのあらたなデフォルトビットレートを設定し（ステップＳ４４）、現在より低ビットレートを希望する場合は、低ビットレートのあらたなデフォルトビットレートを設定する（ステップＳ４５）。
【００８４】
図１４は、ユーザが受信装置に対して録画したコンテンツの保護、あるいは録画したコンテンツのダビングを行ったときの処理の一例について説明するためのフローチャートである。
まず、ユーザによって上記のごとくのコンテンツの保護（プロテクト）／ダビング（ダビング予約も含む）が実行されたとき（ステップＳ５１）、受信装置１００は、保護／ダビングを行ったコンテンツのジャンルを調べる（ステップＳ５２）。
【００８５】
そして、その調べたジャンルに対応付けて保持されている、保護／ダビングの累積回数情報を一つカウントアップする（ステップＳ５３）。そして、予め定めた一定回数（Ｎ回）以上このジャンルについてコンテンツの保護／ダビングを行ったかどうかを調べる（ステップＳ５４）。そして、Ｎ回以上そのジャンルのコンテンツを保護／ダビングしていなければ、処理を終了し、Ｎ回以上保護／ダビングしていれば、さらに「このジャンルのデフォルトビットレートを変更するか？」という質問を提示する（ステップＳ５５）。この提示の仕方についても、上述のように適宜設定することができる。
そして、ユーザがそのジャンルについてデフォルトビットレートを変更したければ、デフォルトビットレートの変更操作を行い（ステップＳ５６）、変更する必要がなければそのまま処理を終了する。
【００８６】
図１５は、コンテンツの保護／ダビングを解除した場合の処理の一例について説明するためのフローチャートである。
受信装置１００におけるコンテンツの保護の解除、またはダビング予約の解除がユーザにより指示されると（ステップＳ６１）、受信装置１００では指示されたコンテンツのジャンルを調べる（ステップＳ６２）。そして、調べたジャンルについて、保護／ダビングの累積回数情報を一つ減らす（ステップＳ６３）。すなわち、保護またはダビングを解除したコンテンツについては、その保護またはダビングの設定時に上記保護／ダビングの累積回数情報を一つカウントアップしているので、この保護またはダビングを解除した際には、カウントアップされている保護／ダビング情報を一つ減らして元の状態に戻す。
【００８７】
図１６は、複数種類の記録媒体に録画可能な受信装置において、記録媒体毎にジャンル別の録画レート（デフォルトビットレート）を定めたときの処理例を説明するためのフローチャートである。
ユーザが受信装置１００の録画ボタンを押して、録画指示を入力する（ステップＳ７１）。すると受信装置１００では、録画するコンテンツに付随したコンテンツ情報から、そのコンテンツのジャンルを調べる（ステップＳ７２）。そして、ユーザは、リモコン等を使用して、コンテンツを録画する記録媒体を指示する入力を行う（ステップＳ７３）。
【００８８】
そして、上記ステップＳ７２で調べたコンテンツのジャンルと、上記ステップＳ７３で指示入力した記録媒体とから、該当する記録媒体のジャンルに対応するデフォルトビットレートを取り出す（ステップＳ７４）。そして取り出したデフォルトビットレートにより、コンテンツの録画を開始する（ステップＳ７５）。
【００８９】
図１７は、コンテンツのジャンルが識別できないときにユーザによってジャンルを指定する処理例について説明するためのフローチャートである。
まず、ユーザが受信装置１００の録画ボタンを押して、録画指示を入力する（ステップＳ８１）。すると受信装置１００では、録画しようとしているコンテンツに付随するコンテンツ情報から、そのコンテンツの番組情報を取得し、この番組情報から録画しようとしているコンテンツのジャンルを調べる（ステップＳ８２）。
【００９０】
上記録画したいコンテンツのジャンルが見つからなければ、ユーザによりコンテンツのジャンルを指定する（ステップＳ８３）。そして受信装置１００では、指定されたジャンルに対応するデフォルトビットレートを取り出して（ステップＳ８４）、そのデフォルトビットレートでコンテンツの録画を行う（ステップＳ８５）。
また、上記ステップＳ８２で、コンテンツ情報からジャンルを見つけることができたときは、ステップＳ８４でそのジャンルに対応するビットレートを取り出して、そのビットレートでコンテンツの録画を行う（ステップＳ８５）。
【図面の簡単な説明】
【００９１】
【図１】本発明の情報記録装置の一実施形態であるデジタル放送受信装置の構成を示すブロック図である。
【図２】ジャンル別録画レート格納部に格納されている録画レート情報の設定例を説明するための図である。
【図３】本発明の情報記録装置の他の実施形態を説明するための図である。
【図４】本発明の情報処理装置の更に他の実施形態を説明するための図である。
【図５】本発明の情報処理装置の更に他の実施形態を説明するための図である。
【図６】本発明の情報処理装置の更に他の実施形態を説明するための図である。
【図７】本発明の情報処理装置の更に他の実施形態を説明するための図である。
【図８】ジャンル別録画レート格納部に格納されている録画レート情報の他の設定例を説明するための図である。
【図９】各ジャンル毎に予め定めるデフォルトビットレートの設定手順の一例を説明するためのフローチャートである。
【図１０】ジャンル別のデフォルトビットレートの他の設定手順を説明するためのフローチャートである。
【図１１】デフォルトビットレートとコンテンツに付随するビットレートとの優先順位に従って実際に録画ビットレートを決定する処理例について説明するためのフローチャートである。
【図１２】コンテンツの録画中にジャンルが変更されたときの処理例を説明するためのフローチャートである。
【図１３】受信装置に設定したデフォルトビットレートのコンテンツ視聴後の変更処理例について説明するためのフローチャートである。
【図１４】ユーザが受信装置に対して録画したコンテンツの保護、あるいは録画したコンテンツのダビングを行ったときの処理の一例について説明するためのフローチャートである。
【図１５】コンテンツの保護／ダビングを解除した場合の処理の一例について説明するためのフローチャートである。
【図１６】複数種類の記録媒体に録画可能な受信装置において、記録媒体毎にジャンル別の録画レート（デフォルトビットレート）を定めたときの処理例を説明するためのフローチャートである。
【図１７】コンテンツのジャンルが識別できないときにユーザによってジャンルを指定する処理例について説明するためのフローチャートである。
【符号の説明】
【００９２】
１００…受信装置、１０１…アンテナ、１０２…リモコン、１０３…デジタル放送チューナ部、１０４…リモコン受信部、１０５…ジャンル別録画レート格納部、１０６…録画部、１０７…映像／音声／データ分離部、１０８…録画レート設定部、１０９…通信Ｉ／Ｆ部、１１０…録画レート優先順位指定部、１１１…音声／映像信号デコーダ部、１１２…ビデオ／ＯＳＤ信号合成部、１１３…ＯＳＤ表示部、１１４…音声信号合成部、１１５…映像出力部、１１６…音声出力部、１１７…録画レート確認メッセージ出力部、１１８…保護／ダビング累積回数保持部、１１９…ジャンル指定部。
【図１】
2006127604.tif 000003
【図２】
2006127604.tif 000004
【図３】
2006127604.tif 000005
【図４】
2006127604.tif 000006
【図５】
2006127604.tif 000007
【図６】
2006127604.tif 000008
【図７】
2006127604.tif 000009
【図８】
2006127604.tif 000010
【図９】
2006127604.tif 000011
【図１０】
2006127604.tif 000012
【図１１】
2006127604.tif 000013
【図１２】
2006127604.tif 000014
【図１３】
2006127604.tif 000015
【図１４】
2006127604.tif 000016
【図１５】
2006127604.tif 000017
【図１６】
2006127604.tif 000018
【図１７】
2006127604.tif 000019